(57)【要約】【課題】周囲を汚すことなく、容易かつ確実に内容物を注出できる袋を提供する。【解決手段】調味料等の内容物を収納部１に封入してシール部２，３，４で封緘し、内容物の流出路５を収納部１からシール部２に食い込むように設け、シール部２にその端縁から流出路５の近傍へかけて開封用の切目６を入れた袋において、切目６を流出路５の両側に入れて、シール部２の端縁と切目６に囲まれた捻り片７を形成する。流出路５の根元部分を摘んで、捻り片７をねじり切ることにより、流出路５を塞いだ状態で、内容物の不意の噴出を防止しつつ開封でき、そのまま持ち替えたりすることなく、流出路５の開口部を所要の方向へ向けて、内容物を注出することができる。【選択図】図１
2008050048.tif 000002
【特許請求の範囲】
【請求項１】
内容物を収納部に封入してシール部で封緘し、内容物の流出路を収納部からシール部に食い込むように設け、シール部にその端縁から流出路近傍へかけて開封用の切目を入れた袋において、前記開封用の切目を流出路の両側に入れて、シール部の端縁と切目との間に捻り片を形成したことを特徴とする捻り開封袋。
【発明の詳細な説明】
【技術分野】
【０００１】
この発明は、調味料等の内容物を充填して封緘した包装袋であって、開封を容易にできるようにしたものに関する。
【背景技術】
【０００２】
一般に、持ち帰り弁当に添付される醤油やソース等の調味料の袋容器として、プラスチックフィルムから成り、調味料を収納部に封入してシール部で封緘し、シール部にその端縁から調味料の収納部の手前まで直線状に開封用の切目を入れた袋が使用されている。
【０００３】
この袋から調味料を注出するには、調味料の収納部を把持しつつ、切目を契機としてシール部から調味料の収納部へかけてプラスチックフィルムを引き裂き、その裂け目から調味料を流下させるようにする。
【０００４】
ところが、このような袋では、切目からプラスチックフィルムを引き裂く際、裂け目が調味料の収納部へ達した途端、把持圧により調味料が裂け目から不意に予想外の方向へ勢いよく噴出し、衣服やテーブル等が汚れることがある。
【０００５】
このため、下記特許文献１においては、内容物の流出路を調味料の収納部からシール部に食い込むように設け、流出路の片側に、シール部の端縁から流出路近傍へかけて開封用の切目を入れ、流出路の根元部分を摘んで塞ぎつつ、切目からの引裂により流出路を開口させ、その開口部から内容物を注出できるようにした袋が提案されている。
【０００６】
【特許文献１】実開昭５４−１４８７４号公報
【発明の開示】
【発明が解決しようとする課題】
【０００７】
しかしながら、上記特許文献１に記載の袋では、開封したとき、切断したシール部が流出路の開口部近傍に残存するので、内容物の注出に際し、流出路から流れ出た内容物がシール部の残存部分に当たって、流れの方向が変わるおそれがある。
【０００８】
この現象を防止するには、袋を向きが変わるように持ち替えたり、シール部の残存部分を流出路の下方から逃がすように押さえたりしなければならず、このような手順に煩わしさを感じることがある。
【０００９】
そこで、この発明は、周囲を汚すことなく、容易かつ確実に内容物を注出できる袋を提供することを課題とする。
【課題を解決するための手段】
【００１０】
上記課題を解決するため、この発明は、内容物を収納部に封入してシール部で封緘し、内容物の流出路を収納部からシール部に食い込むように設け、シール部にその端縁から流出路近傍へかけて開封用の切目を入れた袋において、前記開封用の切目を流出路の両側に入れて、シール部の端縁と切目との間に捻り片を形成したのである。
【発明の効果】
【００１１】
この袋では、流出路の根元部分を摘んで、捻り片をねじり切ることにより、流出路を塞いだ状態で、内容物の不意の噴出を防止しつつ開封すると、流出路の開口部の両側近傍にシール部が残存しないので、そのまま持ち替えたりすることなく、流出路の開口部を所要の方向へ向けて、容易かつ確実に内容物を注出することができる。
【発明を実施するための最良の形態】
【００１２】
まず、この発明の第１実施形態を図１乃至図４に基づいて説明する。
【００１３】
図１に示すように、この袋は、醤油やソース等の調味料の容器として使用される方形状のものであり、熱融着性を有するプラスチックフィルムを折り重ねて収納部１を形成し、その一端及び一側に沿ったシール部２，３でヒートシールして調味料を封入し、他端に沿ったシール部４でヒートシールして封緘すると共に、調味料の流出路５を一端のシール部２に食い込むように設けて製袋されている。
【００１４】
そして、この袋には、流出路５の両側に、シール部２の頂辺となる端縁から流出路５近傍へかけて膨出弧状に湾曲した開封用の切目６が入れられ、シール部２の端縁と切目６に囲まれた部分は、捻り片７とされている。切目６には、捻り片７の捲れを防止するため、シール部２の先端側に繋部が設けられている。
【００１５】
上記のような袋では、調味料を注出する際、図２に示すように、捻り片７を一方の手の指で摘み、図３に示すように、流出路５の根元部分を他方の手の指で摘んだ状態で、捻り片７を捻って、切目６の繋部を切断し、捻り片７をねじり切る。
【００１６】
このように開封すると、流出路５は、指で摘まれて塞がれているので、調味料が不意に噴出する現象が防止され、飛び出した調味料により周囲のものを汚すことがない。
【００１７】
そして、図４に示すように、他方の手の指で流出路５の根元部分を把持したまま、持ち替えたりすることなく、袋を傾けて、流出路５の開口部を食品の方向へ向け、その開口部から調味料を注ぐことができる。
【００１８】
このとき、流出路５の開口部の両側近傍にはシール部２が残存しないので、流出路５から流れ出る調味料がシール部２の残存部に当たって、その流れ方向が予想外の方向へ変わるようなことがなく、調味料を確実に目的とする食品にかけることができる。
【００１９】
次に、この発明の第２実施形態を図５乃至図８に基づいて説明する。
【００２０】
図５に示すように、この袋は、醤油やソース等の調味料の容器として使用されるテトラ形状のものであり、熱融着性を有するプラスチックフィルムを各面が三角形の四面体をなすように折り曲げて収納部１を形成し、その一端及び一面中央に沿ったシール部２，３でヒートシールして調味料を封入し、他端に沿ったシール部４でヒートシールして封緘すると共に、調味料の流出路５を一端のシール部２に食い込むように設けて製袋されている。
【００２１】
そして、この袋には、流出路５の両側に開封用の切目６が入れられ、このうち一側の切目６は、シール部２の側辺となる端縁から流出路５近傍へ至る直線状とされ、他側の切目６は、シール部２の頂辺となる端縁から膨出弧状に湾曲したものとされている。シール部２の端縁と切目６に囲まれた部分は、捻り片７とされ、切目６には、捻り片７の捲れを防止するため、シール部２の先端側に繋部が設けられている。
【００２２】
上記のような袋では、調味料を注出する際、図６に示すように、捻り片７を一方の手の指で摘み、流出路５の根元部分を他方の手の指で摘んだ状態で、捻り片７を捻って、切目６の繋部を切断し、捻り片７をねじり切る。
【００２３】
このように開封すると、流出路５は、指で摘まれて塞がれているので、調味料が不意に噴出する現象が防止され、飛び出した調味料により周囲のものを汚すことがない。
【００２４】
そして、図７に示すように、他方の手の指で流出路５の根元部分を把持したまま、持ち替えたりすることなく、袋を傾けて、流出路５の開口部を食品の方向へ向け、その開口部から調味料を注ぐことができる。
【００２５】
このとき、流出路５の開口部の両側近傍にはシール部２が残存しないので、流出路５から流れ出る調味料がシール部２の残存部に当たって、その流れ方向が予想外の方向へ変わるようなことがなく、調味料を確実に目的とする食品にかけることができる。
【００２６】
なお、この袋は、図８に示すように、調味料を使い残した場合でも、流出路５から離れた面を底にして、調味料がこぼれない状態で、一時的に仮置きすることができ、また、必要に応じて、流出路５の根元部分を再度摘んで持ち上げ、袋を傾けることにより、残りの調味料を食品にかけることができる。
【００２７】
ところで、袋の材料として、上記各実施形態では、プラスチックフィルムを使用したものを例示したが、これに替えて、アルミ箔や薄紙の裏面に熱融着性を有するヒートシール層をラミネート等により設けたものを使用してもよい。
【図面の簡単な説明】
【００２８】
【図１】第１実施形態に係る方形状の捻り開封袋の封緘状態を示す斜視図
【図２】同上の開封の初期過程を示す斜視図
【図３】同上の開封の次の過程を示す斜視図
【図４】同上の開封後の調味料注出状態を示す斜視図
【図５】第２実施形態に係るテトラ形状の捻り開封袋の封緘状態を示す斜視図
【図６】同上の開封の過程を示す斜視図
【図７】同上の開封後の調味料注出状態を示す斜視図
【図８】同上の仮置き状態を示す斜視図
【符号の説明】
【００２９】
１  収納部
２，３，４  シール部
５  流出路
６  切目
７  捻り片
【図１】
2008050048.tif 000003
【図２】
2008050048.tif 000004
【図３】
2008050048.tif 000005
【図４】
2008050048.tif 000006
【図５】
2008050048.tif 000007
【図６】
2008050048.tif 000008
【図７】
2008050048.tif 000009
【図８】
2008050048.tif 000010